(57)【要約】【課題】始動用コンデンサをユーザが要望した場所に自在に設置でき、トータルの省スペース化が可能な位相制御器を安価に提供する。【解決手段】コンデンサ始動型単相誘導モータを速度制御するためにスイッチング素子により電源の位相を制御する位相制御器において、裏蓋２に固定したコンデンサ始動型単相誘導モータと接続するコネクタ２と、始動用コンデンサ６を接続する端子台４とを位相制御器１の背面に備え、始動用コンデンサ６を収納した専用ボックス７の開口端部を位相制御器１の背面端部と同一形状にして、裏蓋２を固定するネジ５を共用して専用ボックス７を位相制御器１に固定する。【選択図】図１
2007129833.tif 000002
【特許請求の範囲】
【請求項１】
コンデンサ始動型単相誘導モータを速度制御するためにスイッチング素子により電源の位相を制御する位相制御器において、コンデンサ始動型単相誘導モータを接続するため裏蓋に固定したコネクタと、始動用コンデンサを接続する端子台とを位相制御器の背面に備え、前記始動用コンデンサを収納した専用ボックスの開口端部を前記位相制御器の背面端部と同一形状にして前記始動用コンデンサを増設可能とすることを特徴とする位相制御器。
【請求項２】
専用ボックスを固定する際には、位相制御器に裏蓋を固定するネジを共用して、前記裏蓋を介して位相制御器に固定する請求項１に記載の位相制御器。
【発明の詳細な説明】
【技術分野】
【０００１】
本発明は、コンデンサ始動型単相誘導モータ専用の位相制御器の構造に関するものである。
【背景技術】
【０００２】
従来、産業用に使用されるコンデンサ始動型単相誘導モータは、始動用コンデンサを単相誘導モータの外周部に備えたものが知られている（例えば、特許文献１参照）。
【０００３】
一方、単相誘導モータが置かれる熱・湿度・振動等の悪環境から保護する目的で始動用コンデンサを、スイッチング素子により商用電源の電圧を位相制御して単相誘導モータに駆動電圧を印加する位相制御器内部に設ける場合がある。また、位相制御器が設置される周辺環境によっては防塵性などが求められる。
【０００４】
このように、産業用途に使用されるコンデンサ始動型単相誘導モータにおいては、始動用コンデンサをユーザが要望した場所に設置可能としながら省スペースと周辺環境に対処する必要がある。
【特許文献１】特開２００１−２７５３０１号公報
【発明の開示】
【発明が解決しようとする課題】
【０００５】
発明が解決しようとする問題点は、コンデンサ始動型単相誘導モータ側と位相制御器側でのトータルの省スペース化および対応力である。すなわち、始動用コンデンサを内蔵した一体構造の位相制御器の場合、始動用コンデンサがモータ側に設置されると、位相制御器内部の始動用コンデンサは不要となり、始動用コンデンサのスペースが空いた状態となり、位相制御器の小型化が図れず課題があった。
【０００６】
一方、コンデンサ始動型単相誘導モータと位相制御器をトータルで省スペース化を実現するため、始動用コンデンサをモータ側に取付け、始動用コンデンサを内蔵しない位相制御器を新設すると、ユーザ要望に対応できるものの、トータルの標準化ができずコスト面に課題があった。
【０００７】
本発明は上記従来の課題を解決するものであり、始動用コンデンサをユーザが要望した場所に自在に設置でき、トータルの省スペース化が可能な小型の位相制御器を安価に提供することを目的とする。
【課題を解決するための手段】
【０００８】
上記従来の課題を解決するために本発明は、コンデンサ始動型単相誘導モータを速度制御するためにスイッチング素子により電源の位相を制御する位相制御器において、コンデンサ始動型単相誘導モータを接続するため裏蓋に固定したコネクタと、始動用コンデンサを接続する端子台とを位相制御器の背面に備え、前記始動用コンデンサを収納した専用ボックスの開口端部を前記位相制御器の背面端部と同一形状にして前記始動用コンデンサを増設可能とする。
【０００９】
また、専用ボックスを固定する際には、位相制御器に裏蓋を固定するネジを共用して、前記裏蓋を介して位相制御器に固定する。
【発明の効果】
【００１０】
本発明の位相制御器によれば、省スペースな位相制御器を固定部として、始動用コンデンサを増設可能な変動部として専用ボックスに収納したので、始動用コンデンサを内蔵した位相制御器は必要なく、ユーザが要望した場所に始動用コンデンサを設置することができる。このためトータルでの省スペース化および標準化が可能となり、位相制御器の小型化と低コスト化が可能となる。
【００１１】
また、専用ボックスの開口端部を位相制御器の背面端部と同一形状にしており、簡易的な防水対策ができる。加えて、専用ボックスを固定する際には、裏蓋を固定するネジを共用し、裏蓋を介して位相制御器に固定するため、安価に構成できる。
【発明を実施するための最良の形態】
【００１２】
コンデンサ始動型単相誘導モータを接続するため裏蓋に固定したコネクタと、始動用コンデンサを接続する端子台とを位相制御器の背面に備え、前記始動用コンデンサを収納した専用ボックスの開口端部を前記位相制御器の背面端部と同一形状にして前記始動用コンデンサを増設可能とする。位相制御器に専用ボックスを固定する際には、裏蓋を固定するネジを共用して、裏蓋を介して専用ボックスを位相制御器に固定する。
【実施例１】
【００１３】
本発明は、始動用コンデンサを収納した専用ボックスと位相制御器とを別体で構成したものであり、始動用コンデンサの接続関係を中心にして説明する。なお、始動用コンデンサを単相誘導モータに設置するとき、始動用コンデンサを収納した専用ボックスは使用しない。
【００１４】
図１において、コンデンサ始動型単相誘導モータを速度制御するためにスイッチング素子により電源の位相を制御する位相制御器１は、コンデンサ始動型単相誘導モータを接続する裏蓋２に固定したコネクタ３と、始動用コンデンサ６を接続する端子台４を、その背面に備えている。裏蓋２は、ネジ５により位相制御器１の筐体に密着固定され、位相制御器１内部への防塵性を確保している。
【００１５】
コネクタ３には、モータ主巻線、補助巻線、冷却ファンなど単相誘導モータ側の各要素が必要に応じてコネクタ接続される。端子台４には、始動用コンデンサ接続用端子のほかに、単相電源用、ＦＧ用（フレームグランド）などの各端子を必要数に応じて設ける。
【００１６】
始動用コンデンサ６が接続される端子台４の端子には、コネクタ３の主巻線端子と補助巻線端子から配線されている。
【００１７】
始動用コンデンサ６は、専用ボックス７に収納されてネジ固定され、専用ボックス７を位相制御器１に固定するとき、上述した裏蓋２を固定するネジ５を共用する。このため専用ボックス７は、裏蓋２を介して位相制御器１にネジ５を用いて固定する。
【００１８】
また、専用ボックス７の始動用コンデンサ６を収納する側の開口端部を、位相制御器１の背面端部と同一形状に設定しており、専用ボックス７を位相制御器１の背面に密着固定することでコネクタ３と端子台４は専用ボックス７で覆われた簡易的な防水構造となる。
【００１９】
このように専用ボックス７に収納した始動用コンデンサ６を位相制御器１に増設可能としている。なお、専用ボックス７を取り付ける前に、コネクタ３と端子台４に対する配線を完了させ、専用ボックス７の後方からモータ線と電源線を引き出しておく必要がある。
【００２０】
次に、単相誘導モータと位相制御器の配線について、図２を用いて説明する。図２において、単相誘導モータ２１は、主巻線２２と補助巻線２３とから成り、両端に始動用コン
デンサ２４が接続される。図２に示したように、始動用コンデンサ２４は、単相誘導モータ２１または位相制御器２５の一方に設ける。
【００２１】
位相制御器２５は、スイッチング素子２６により商用電源２７の電圧を位相制御して単相誘導モータ２１に駆動電圧を印加する。始動時、始動用コンデンサ２４によって電圧と電流の位相をずらし、単相誘導モータ２１を駆動する。
【００２２】
コネクタ２８には、単相誘導モータ２１の各要素がリード線を介して接続され、単相誘導モータ２１に駆動電圧を供給する。端子台２９には、商用電源２７、始動用コンデンサ２４、ＦＧ用、回転方向切り替え用の各接続端子を備えている。
【００２３】
端子台２９に始動用コンデンサ２４を接続するには、主巻線２２と補助巻線２３の両端を所定の端子に接続しておく必要がある。また、回転方向切り替え用のコモン端子を備えており、主巻線２２および補助巻線２３の接続順を切り替える。単相誘導モータ２１の速度可変は可変抵抗器によって行う。
【００２４】
このように、位相制御器に始動用コンデンサを必要に応じて増設可能にしたので、始動用コンデンサをユーザが要望した場所に自在に設置できる。また、位相制御器が固定部分となるため標準化ができる。このため、小型で省スペース化が可能な位相制御器を安価に得ることができる。
【産業上の利用可能性】
【００２５】
本発明の位相制御器は、始動用コンデンサをユーザが要望した場所に自在に設置できるため、産業用の不特定な用途に有用である。
【図面の簡単な説明】
【００２６】
【図１】本発明の実施例１における位相制御器と専用ボックスの説明図
【図２】本発明の実施例１における位相制御器と単相誘導モータのブロック配線図
【符号の説明】
【００２７】
１，２５  位相制御器
２  裏蓋
３，２８  コネクタ
４，２９  端子台
５  ネジ
６，２４  始動用コンデンサ
７  専用ボックス
２１  単相誘導モータ
２２  主巻線
２３  補助巻線
２６  スイッチング素子
２７  商用電源
【図１】
2007129833.tif 000003
【図２】
2007129833.tif 000004